(57)【要約】      （修正有）【課題】内部に収納されている電池を交換する際、別体となる構成部品を２体にする事ができて、その２体を両手のそれぞれに確実に握った状態で電池の交換を行なうことができるので、構成部品の紛失の虞なく電池交換を行なうことができるカットコーン用の保安灯を提供する。【解決手段】保安灯は、発光装置を内蔵した露出部１１と電池ケース１５の２体の構成部品に分離することができる。発光装置の一部を構成する電池ホルダー１４は、露出部１１の底面部１１ａに固定されている。電池ホルダー１４を収納可能な有底円筒状の電池ケース１５は複数個の係合部１５ａによって、露出部１１の底面部１１ａに着脱自在に係止する。【選択図】図１
0003203455.tif 000002
【実用新案登録請求の範囲】
【請求項１】
道路の工事現場等に配置される円錐台形状のカットコーンであって、その頂面部の中央に円形の透孔部を有するカットコーンの上部に装着される発光体および電源を内蔵したカットコーン用の保安灯において、
該保安灯は、前記カットコーンの透孔部に嵌入可能な円柱状の挿入部と、該挿入部の上部に配設された当該円柱状の挿入部の径よりも大きい径の底面部を有する露出部とから構成され、
前記露出部の前記底面部の中央には、前記電源を構成する電池を着脱自在に収納する電池ホルダーが下方向に延在するように固定されており、
前記挿入部を構成する円筒状の部材であって、底面部を有し且つ前記電池ホルダーをその内部に収納可能な有底円筒状の電池ケースの上部の開口部側には、前記露出部の前記底面部に着脱自在に係合する係合部が配設されていることを特徴とするカットコーン用の保安灯。
【請求項２】
前記電池ホルダーには、前記電池を収納した際、当該電池ホルダーと収納された前記電池によって挟持可能な紐状部材が配設されていることを特徴とする請求項１に記載のカットコーン用の保安灯。
【考案の詳細な説明】
【技術分野】
【０００１】
本考案は、道路の工事現場等に配置される円錐台形状のカットコーンの上部に装着するカットコーン用の保安灯に関するものである。
【背景技術】
【０００２】
従来から、夜間の道路の工事現場などの暗い工事現場に配置する円錐台形状のカットコーンには、図５に示すような保安灯１をカットコーン２の上部に装着して、カットコーン２の視認性を高めている。
【０００３】
このような保安灯１は、図６に示したような円形の透孔部２ａが形成されているカットコーン２の頂面部に装着されている。
【０００４】
保安灯１は、図６に示したように、カットコーン２の透孔部２ａに嵌入可能な円柱状の挿入部１２と、この円柱状の挿入部１２の径よりも大きな径の底面部１１ａを有する露出部１１とによって構成されている。
【０００５】
挿入部１２には凸部１２ａが配設されており、この凸部１２ａをカットコーン２の頂面部に形成されている凹部２ｂの位置に合わせて挿入部１２を透孔部２ａからカットコーン２の内部に挿入し、その後、保安灯１全体を少しだけ回転させておけば、カットコーン２が何らかの原因で倒れた場合でも、保安灯１がカットコーン２から外れることを防ぐことができる。
【０００６】
露出部１１の内部には、図７に示したような構成の発光装置が配設されている。図７において、２２は電源装置であり、電源装置２２は太陽電池２１から出力される電力を充放電可能な電池２３に蓄電するとともに、電池２３から出力される電力を発光制御装置２５やＬＥＤ等の発光体２４に供給する。
【０００７】
発光制御装置２５は、電源装置２２から供給される電力を用いて発光体２４の点滅を制御する。ここで、発光制御装置２５や電源装置２２の構成は、本願出願人が、「ソララ（登録商標）電波セレナイト」の名称で既に販売しているカットコーン用の保安灯に使用されている発光制御装置や電源装置と同様の構成である。
【０００８】
以上のような構成の従来の保安灯１においては、太陽電池２１によって発生する電力を電池２３に蓄電する構成となっているので、長期間に亘って保安灯１は作動することができる。
【０００９】
しかしながら、曇りの日が続く等の原因で太陽電池２１から出力される電力量が低下すると、電池２３に蓄電されている電力量が低下して保安灯の作動は停止する。このようになった場合には、保安灯１に収納されている電池２３を、他の場所で十分に充電した電池に取り替える必要が生じる。
【００１０】
そのような場合、従来例においては、図８に示したように、挿入部１２の底部に凸部１３ａによって係止している蓋部材１３を挿入部１２から外して、挿入部１２の内部に収納してある電池ホルダー１４を挿入部１２から取り出し、収納してある電池を充電済みの新しい電池に交換するという構成になっている。
【００１１】
なお、この電池ホルダー１４は、挿入部１２の内部においては図９に示したように、挿入部１２に形成されている凹部１２ｂと２つの支持脚１２ｃとによって支持されている。また、蓋部材１３の凸部１３ａは、挿入部１２の底部に形成されている突条１２ｄと係合して蓋部材を挿入部１２の底部に係止するものである。この挿入部１２の底部に係止している蓋部材１３と、反対側の露出部１１の底面部１１ａ（図８参照）とによって電池ホルダー１４は挟持される。このように、電池ホルダー１４が蓋部材１３および底面部１１ａに挟持された状態で、電池ホルダー１４に収納されている電池と露出部１１内に配設されている電源装置２２（図７参照）との電気的接続が保たれる構成となっている。
【考案の概要】
【考案が解決しようとする課題】
【００１２】
ここで、以上のように構成された従来例においては、電池ホルダー１４に収納されている電池２３を取り替える場合には、挿入部１２の底部に係止している蓋部材１３を外してから挿入部１２の内部の電池ホルダー１４を挿入部１２から取り出して、収納されている電池を取り替える必要がある。
【００１３】
このような電池の取り替え作業は、カットコーンの設置されている道路上などの屋外で、作業員が立った状態で行なわれる。
【００１４】
作業員は、このような電池の取り替え作業を行う場合には、通常、図１０（ａ）に示したように、カットコーンから外した保安灯の挿入部１２を片手Ｈ２で持ち、もう一方の手Ｈ１で蓋部材１３を持った状態で電池ホルダー１４に収納されている電池２３の取り替え作業を行なう。この際、作業員は電池ホルダー１４を指で摘んだ状態で電池交換の作業を行なうこととなり、作業員の手Ｈ１から蓋部材１３が落下して道路上に落ちてしまうという事態がしばしば起こる。
【００１５】
このような事態が起こった場合、蓋部材１３は小さく軽量であるために、道路上を転がって側溝に入ってしまったり、走行中の車に当って弾かれてしまったりして紛失してしまうことが度々あった。
【００１６】
以上のようにして蓋部材１３が紛失した場合（図１０（ｂ）参照）、新しい電池を収納した電池ホルダーを挿入部１２の内部に固定することができないので、そのような場合には、保安灯自体が使用不能となってしまうという問題点があった。
【００１７】
すなわち、従来の保安灯は、電池交換時に蓋部材を紛失しやすくて、そのような場合には保安灯自体が使用不能状態になってしまうといった問題点があった。
【課題を解決するための手段】
【００１８】
以上の問題点を解消するために本考案は、道路の工事現場等に配置される円錐台形状のカットコーンであって、その頂面部の中央に円形の透孔部を有するカットコーンの上部に装着される発光体および電源を内蔵したカットコーン用の保安灯において、該保安灯は、前記カットコーンの透孔部に嵌入可能な円柱状の挿入部と、該挿入部の上部に配設された当該円柱状の挿入部の径よりも大きい径の底面部を有する露出部とから構成され、前記露出部の前記底面部の中央には、前記電源を構成する電池を着脱自在に収納する電池ホルダーが下方向に延在するように固定されており、前記挿入部を構成する円筒状の部材であって、底面部を有し且つ前記電池ホルダーをその内部に収納可能な有底円筒状の電池ケースの上部の開口部側には、前記露出部の前記底面部に着脱自在に係合する係合部が配設されていることを特徴とするものである。ここで、前記電池ホルダーには、前記電池を収納した際、当該電池ホルダーと収納された前記電池によって挟持可能な紐状部材が配設されていてもよい。
【考案の効果】
【００１９】
本考案によれば、内部に収納されている電池を交換する際、別体となる構成部品を２体にする事ができて、その２体を両手のそれぞれに確実に握った状態で電池の交換を行なうことができるので、構成部品の紛失の虞なく電池交換を行なうことができるカットコーン用の保安灯を提供することができる。
【図面の簡単な説明】
【００２０】
【図１】本考案の実施例１の構成を示す分解斜視図である。
【図２】本考案の実施例１の要部の拡大斜視図である。
【図３】本考案の実施例１の構成の説明図である。
【図４】本考案の実施例１の構成の説明図である。
【図５】保安灯を装着したカットコーンの斜視図である。
【図６】従来の保安灯とカットコーンの上部の斜視図である。
【図７】従来の保安灯の内部の構成図である。
【図８】従来の保安灯の構成を示す分解斜視図である。
【図９】従来の保安灯の構成の説明図である。
【図１０】従来の保安灯の説明図である。
【考案を実施するための形態】
【００２１】
以下、図面を用いて本考案の実施例を説明する。
【実施例１】
【００２２】
図１は、本考案の実施例１の構成を示した分解斜視図であり、図２は、その要部の拡大図である。
【００２３】
図１および図２において、保安灯の露出部１１の内部には、先に説明した従来例と同様の図７に示したような構成の発光装置が配設されている。
【００２４】
ここで、本実施例１においては、電池を収納する電池ホルダー１４は、露出部１１の底面部１１ａの中央に、下方向に延在するように固定されており、電池ホルダー１４は、露出部１１の内部に配設されている発光装置の一部としてこの発光装置に電気的にも接続されている。
【００２５】
図１において、１５は、電池ホルダー１４を収納可能な円筒状の部材であって底面部１５ｂを有する有底円筒状の電池ケースである。この電池ケース１５は保安灯の挿入部を構成するものである。
【００２６】
電池ケース１５の上部の開口部側には、その周辺方向に突出している複数個の係合部１５ａが配設されている。この係合部１５ａを、露出部１１の底面部１１ａに配設されている突条１６に係合させることにより、電池ケース１５を、電池ホルダー１４を収納した状態で露出部１１の底面部１１ａに係止状態にすることができる。ここで、１６ａは、係合部１５ａを突条１６に係合させる時に用いる相隣接する突条１６間に形成された凹部である。
【００２７】
また、図１および図２に示したように、電池ホルダー１４には、一端が電池ホルダー１４に固定されているリボンや紐などによって構成されている複数個の紐状部材１４ａが配設されている。この紐状部材１４ａは電池２３を収納した状態で、電池２３と電池ホルダー１４とによって挟持されるものであり、この紐状部材１４ａを用いることにより、収納されている電池２３を電池ホルダー１４から容易に取り外すことができる。
【００２８】
電池ケース１５を露出部１１の底面部１１ａに係止させる場合には、図３（ａ）に示したように電池ケース１５の係合部１５ａの位置を、底面部１１ａの凹部１６ａの位置に合わせて電池ケース１５を底面部１１ａに押し付けた状態にして電池ケース１５を回転させれば、図３（ｂ）示したように係合部１５ａが突条１６に係合して電池ケース１５は露出部１１の底面部１１ａに係止する。電池ケースを露出部１１から外すときには、上記と逆の操作をすればよい。
【００２９】
以上のように構成された本実施例１においては、収納されている電池２３を充電済みの新しい電池に交換する場合、図４に示したように、露出部の底面部１１ａから電池ケース１５を外して、別体となった電池ケース１５と露出部という２体の構成部品を両手のそれぞれの手Ｈ１，Ｈ２で確実に握った状態で電池２３の交換作業を行なうことができる。
【００３０】
従って、本実施例１においては、比較的大きな２体の構成部品を確実に握った状態で電池交換を行なうことができるので、この電池交換の際に構成部品を紛失する虞はほとんどない。
【００３１】
さらに、万が一電池ケース１５を落として破損または紛失した場合でも、本実施例１においては電池ケース１５がなくても保安灯としての動作をすることができるので、雨天ではない限り新たな電池ケースや保安灯をカットコーンの設置現場に持ってくる短い時間であれば露出部１１だけをカットコーン２の上部に載置して保安灯として作動させることも可能である。
【符号の説明】
【００３２】
１  保安灯
２  カットコーン
２ａ  透孔部
２ｂ  凹部
１１  露出部
１１ａ  底面部
１２  挿入部
１２ａ，１３ａ  凸部
１２ｂ，１６ａ  凹部
１２ｃ  支持脚
１２ｄ，１６  突条
１３  蓋部材
１４  電池ホルダー
１４ａ  紐状部材
１５  電池ケース（挿入部）
１５ａ  係合部
２１  太陽電池
２２  電源装置
２３  電池
２４  発光体
２５  発光制御装置
Ｈ１，Ｈ２  手
【図１】
0003203455.tif 000003
【図２】
0003203455.tif 000004
【図３】
0003203455.tif 000005
【図４】
0003203455.tif 000006
【図５】
0003203455.tif 000007
【図６】
0003203455.tif 000008
【図７】
0003203455.tif 000009
【図８】
0003203455.tif 000010
【図９】
0003203455.tif 000011
【図１０】
0003203455.tif 000012